(57)【要約】      （修正有）【課題】吸気は全て霧と混ざり撹拌され、冷されて噴出される冷感度を高めた水冷式冷風扇を得る。【解決手段】冷気噴出口５の下方に水カートリッジ６を嵌着する注水部開閉扉７を設け、背面下方の側壁に吸気口９を削成して内面壁に活性炭吸気フィルター１０を付設し、底部にキャスター１１を取り付け、冷気噴出口の内側に駆動モーター１２とＣ字型多翼ファン１３を設け、本体内部で吸気口と冷気噴出口とを連通するケーシング１４で被装し中間部分に冷気発生室１５を設け、トルネードモーター１６を載置した櫛歯状の霧発生櫛円盤１８を内設して遠心分離回転盤を設けて回動円錐孔２０を軸着し、注水部開閉扉の内側下部に水カートリッジ開弁挿入枠２１を形成し下部に活性炭水フィルター２２を設け、霧発生櫛円盤及び回動円錐孔の下部に水受け容器２３を設け水カートリッジ開弁挿入枠とを連通させ、水受け容器の側面に器外へ貫通する排水孔２５を設ける。【選択図】図２
2007212118.tif 000002
【特許請求の範囲】
【請求項１】
本体が任意形状の中空体となり、上面にスイッチ操作盤を設け、そのスイッチ操作盤の中央を欠成して着脱自在となるリモコン送信機を装着し、本体正面の所要位置に液晶ＬＣＤ表示モニターと冷気噴出口を設け、その下方に内壁に水カートリッジを嵌着できる注水部開閉扉を設け、本体背面の上方に側壁を欠成して把手部を設け、その下方の側壁に吸気口を削成して内面壁に活性炭吸気フィルターを付設し、底部にキャスターを取り付けた構成となり、冷気噴出口の内側に駆動モーターと軸着するＣ字型多翼ファンを設け、本体内部で吸気口から冷気噴出口までを連通する任意形状のケーシングで被装し、ケーシングの中間部に冷気発生室を設け、冷気発生室の内部にトルネードモーターを載置した櫛歯状となる霧発生櫛円盤を内設し、トルネードモーターと遠心分離回転盤を設けた回動円錐孔を軸着し、注水部開閉扉の内側下部に水カートリッジ開弁挿入枠を形成し、その水カートリッジ開弁挿入枠の下部に活性炭水フィルターを設け、霧発生櫛円盤および回動円錐孔の下部に水受け容器を設け水カートリッジ開弁挿入枠とを連通させ、その水受け容器に回動円錐孔の先端が着水するようにし、水受け容器の側面に器外へ貫通する排水孔を設けたことを特徴とする冷感度を高めた水冷式冷風扇。
【請求項２】
前記Ｃ字型多翼ファンの下方のケーシング内側に温度感知装置を設け、液晶ＬＣＤ表示モニターと接続して、冷気噴出口からの冷気温度を表示する請求項１記載の冷感度を高めた水冷式冷風扇。
【請求項３】
前記水カートリッジの着脱により注水を容易にし、その水カートリッジの注出口に逆止弁を螺着し、注水部開閉扉を開き水カートリッジ嵌着部に水カートリッジを嵌着して閉じることにより、水カートリッジの逆止弁が水カートリッジ開弁挿入枠に挿着されて開弁となり、水が活性炭水フィルターを流通して水受け容器へ浄化注水される請求項１記載の冷感度を高めた水冷式冷風扇。
【請求項４】
前記水受け容器の水量を常に一定量を保持できるよう、一定容量の水が減少すればブザーが鳴る水容量感知装置を水受け容器の内部に設けた請求項１記載の冷感度を高めた水冷式冷風扇。
【請求項５】
前記注水部開閉扉および水カートリッジ開弁挿入枠と水受け容器の配置が適宜位置となる請求項１、３または請求項４記載の冷感度を高めた水冷式冷風扇。
【発明の詳細な説明】
【技術分野】
【０００１】    この発明は、冷感度を高めた水冷式冷風扇に関する。
【背景技術】
【０００２】
【特許文献１】    特願平１０−２４４８９４    特開２０００−７４４２９
【特許文献２】    特願２００２−２９１６８２    特開２００４−８５１６４
【発明の開示】
【発明が解決しようとする課題】
【０００３】    従来の涼風扇では、従来のフィルター流水気化熱送風式や滝落し気化熱送風式などがあり、氷や冷感具を本体に入れたりして、送風に涼風感を得ようと工夫していたが、水冷風と常温気体が混合する構造のため、体感的に涼しく感じないものであり、また、本体内には水槽を設けた構造のため、水の水質や定期的な水槽の清掃が必要となる問題があった。【０００４】    本発明は、本体正面の注水部開閉扉あけ、逆止弁を螺着した水カートリッジを水カートリッジ嵌着部に嵌着し、扉を閉めると水カートリッジの逆止弁が水カートリッジ開弁挿入枠に挿着して開弁し、水が活性炭水フィルターを流通して水受け容器へ浄化注水され、その水受け容器に遠心分離回転盤の回動円錐孔が先端が着水し、トルネードモーターの回動によって水を汲み上げ、遠心分離回転盤から回転放水され霧発生櫛円盤に当たり霧を発生させる冷気発生手段と、駆動モーターと軸着するＣ字型多翼ファンを設け、本体背面の内壁に活性炭吸気フィルターを設け清浄な空気を吸気する吸気口と、中間部に冷気発生室を介して連通する任意形状のケーシングで被装一体となる冷気送風手段により、吸気された空気は全て霧と混ざり撹拌されて冷されて噴出される冷感度を高めた水冷式冷風扇の提供を目的とするものである。
【課題を解決するための手段】
【０００５】    前記の課題を達成するため、本体が任意形状の中空体となり、上面にスイッチ操作盤を設け、そのスイッチ操作盤の中央を欠成して着脱自在となるリモコン送信機を装着し、本体正面の所要位置に液晶ＬＣＤ表示モニターと冷気噴出口を設け、その下方に内壁に水カートリッジを嵌着できる注水部開閉扉を設け、本体背面の上方に側壁を欠成して把手部を設け、その下方の側壁に吸気口を削成して内面壁に活性炭吸気フィルターを付設し、底部にキャスターを取り付けた構成となり、冷気噴出口の内側に駆動モーターと軸着するＣ字型多翼ファンを設け、本体内部で吸気口から冷気噴出口までを連通する任意形状のケーシングで被装し、ケーシングの中間部に冷気発生室を設け、冷気発生室の内部にトルネードモーターを載置した櫛歯状となる霧発生櫛円盤を内設し、トルネードモーターと遠心分離回転盤を設けた回動円錐孔を軸着し、注水部開閉扉の内側下部に水カートリッジ開弁挿入枠を形成し、その水カートリッジ開弁挿入枠の下部に活性炭水フィルターを設け、霧発生櫛円盤および回動円錐孔の下部に水受け容器を設け水カートリッジ開弁挿入枠とを連通させ、その水受け容器に回動円錐孔の先端が着水するようにし、水受け容器の側面に器外へ貫通する排水孔を設けた手段を講ずる。【０００６】    また、Ｃ字型多翼ファンの下方のケーシング内側に温度感知装置を設け、液晶ＬＣＤ表示モニターと接続して、冷気噴出口からの冷気温度を表示することが好ましい。【０００７】    そして、水カートリッジの着脱により注水を容易にし、その水カートリッジの注出口に逆止弁を螺着し、注水部開閉扉を開き水カートリッジ嵌着部に水カートリッジを嵌着して閉じることにより、水カートリッジの逆止弁が水カートリッジ開弁挿入枠に挿着されて開弁となり、水が活性炭水フィルターを流通して水受け容器へ浄化注水されることが好ましい。【０００８】    また、水受け容器の水量を常に一定量を保持できるよう、一定容量の水が減少すればブザーが鳴る水容量感知装置を水受け容器の内部に設けることが好ましい。【０００９】    さらに、給水部開閉扉および水カートリッジ嵌着部と水受け容器の配置が適宜位置となってもよい。
【発明の効果】
【００１０】    本発明の水冷式冷風扇では、送風の冷感度を高めるため、常温気体と混合しないようＣ字型多翼ファンを設けた冷気噴出口の内側と、背面内壁の活性炭吸気フィルターを設けた清浄な空気を吸入する吸気口と、任意形状のケーシングで被装一体とし、ケーシングの中間部に冷気発生室を介する冷気送風手段と、トルネードモーターを載置した櫛歯状となる霧発生櫛円盤を内設し、トルネードモーターの回動で遠心分離回転盤の下部に設ける回動円錐孔が吸水を行い、遠心分離回転盤から回転放水された水が櫛歯状となる霧発生櫛円盤に当たり霧を発生し、その冷気が冷気発生室から常温気と混合せず、ケーシングで通風され冷気噴出口から噴出となり、涼しさが体感できるとともに、注水を水カートリッジ着脱構造にして注水が容易に行え、噴出させる水冷風の衛生面を考え、水カートリッジ開弁挿入枠に活性炭水フィルターを取り付け、清潔な水冷風を得ることができ浄水機能が低下すれば取替え交換が簡単にできるものである。
【発明を実施するための最良の形態】
【００１１】    発明の実施の形態を実施例にもとづき図面を参照して説明する。
図１〜図４で示す実施例では、本体１が任意形状の中空体となり、上面にスイッチ操作盤２を設け、そのスイッチ操作盤２の中央を欠成して着脱自在となるリモコン送信機３を装着し、本体１正面の所要位置に液晶ＬＣＤ表示モニター４と冷気噴出口５を設け、その下方に内壁に水カートリッジ６を嵌着できる注水部開閉扉７を設け、本体１背面の上方に側壁を欠成して把手部８を設け、その下方の側壁に吸気口９を削成して内面壁に活性炭吸気フィルター１０を付設し、底部にキャスター１１を取り付けた構成となり、冷気噴出口５の内側に駆動モーター１２と軸着するＣ字型多翼ファン１３を設け、本体１内部で吸気口９から冷気噴出口５までを連通する任意形状のケーシング１４で被装し、ケーシング１４の中間部分に冷気発生室１５を設け、冷気発生室１５の内部にトルネードモーター１６を載置した櫛歯状１７となる霧発生櫛円盤１８を内設し、トルネードモーター１６と遠心分離回転盤１９を設けた回動円錐孔２０を軸着し、注水部開閉扉７の内側下部に水カートリッジ開弁挿入枠２１を形成し、その水カートリッジ開弁挿入枠２１の下部に活性炭水フィルター２２を設け、霧発生櫛円盤１８および回動円錐孔２０の下部に水受け容器２３を設け水カートリッジ開弁挿入枠２１とを連通させ、その水受け容器２３に回動円錐孔２０の先端２４が着水するようにし、水受け容器２３の側面に器外へ貫通する排水孔２５を設けている。【００１２】    また、図２で示す実施例では、Ｃ字型多翼ファン１３の下方のケーシング１４の内側に温度感知装置２６を設け、液晶ＬＣＤ表示モニター４と接続して、冷気噴出口５からの冷気温度を表示するようにしている。【００１３】    また、図３で示す実施例では、水カートリッジ６の着脱により注水を容易にし、その水カートリッジ６の注出口に逆止弁２７を螺着し、注水部開閉扉７を開き水カートリッジ嵌着部２８に水カートリッジ６を嵌着して閉じることにより、水カートリッジ６の逆止弁２７が水カートリッジ開弁挿入枠２１に挿着されて開弁となり、水が活性炭水フィルター２２を流通して水受け容器２３へ浄化注水されるようにしている。【００１４】    そして、図２で示す実施例では、水受け容器２３の水量を常に一定量を保持できるよう、一定容量の水が減少すればブザーが鳴る水容量感知装置３０を水受け容器２３の内部に設けるようにしている。【００１５】    さらに、注水部開閉扉７および水カートリッジ開弁挿入枠２１と水受け容器２３の配置が適宜位置となるようにしている。
【図面の簡単な説明】
【００１６】
【図１】    本発明の実施例を示す斜視図である。
【図２】    本発明の実施例の要部を示す側面から断面図である。
【図３】    本発明の水カートリッジに螺着する逆止弁および注水部開閉扉と水カートリッジ開弁挿入枠の要部を示す側面から展開断面図である。
【図４】    本発明の実施例を示す回路図である。
【符号の説明】
【００１６】    １  本体
２  スイッチ操作盤
３  リモコン送信機
４  液晶ＬＣＤ表示モニター
５  冷気噴出口
６  水カートリッジ
７  注水部開閉扉
８  把手部
９  吸気口
１０  活性炭吸気フィルター
１１  キャスター
１２  駆動モーター
１３  Ｃ字型多翼ファン
１４  ケーシング
１５  冷気発生室
１６  トルネードモーター
１７  櫛歯状
１８  霧発生櫛円盤
１９  遠心分離回転盤
２０  回動円錐孔
２１  水カートリッジ開弁挿入枠
２２  活性炭水フィルター
２３  水受け容器
２４  先端
２５  排水孔
２６  温度感知装置
２７  逆止弁
２８  水カートリッジ嵌着部
２９  水容量感知装置
【図１】
2007212118.tif 000003
【図２】
2007212118.tif 000004
【図３】
2007212118.tif 000005
【図４】
2007212118.tif 000006